(57)【要約】  【課題】  適切なクロマキーパラメータの設定を容易に行うことのできるクロマキー処理装置を提供する。  【解決手段】  入力画像の背景色が指定されると、クロマキー処理装置１の二値化部３は、入力画像を仮背景領域と仮被写体領域とに分割する。黒縮小部４は、仮背景領域から仮被写体領域側の縁部を除外して仮背景領域を縮小し、白縮小部５は、仮被写体領域から仮背景領域側の縁部を除外して仮被写体領域を縮小する。背景マッピング部６は、縮小された仮背景領域に基づいて背景の色領域を決定し、被写体マッピング部７は、縮小された仮被写体領域に基づいて被写体の色領域を決定する。パラメータ算出部８は、背景用キー信号として１００％キー信号を生成し、被写体用キー信号として０％キー信号を生成し、補間キー信号としてｎ％キー信号（０＜ｎ＜１００）を生成するように、クロマキーパラメータを算出する。【選択図】  図１
2010056991.tif 000002
【特許請求の範囲】
【請求項１】
クロマキー処理のキー信号生成用の入力画像を、入力画像の背景色を基準にして決定される仮背景領域と、前記仮背景領域以外の領域である仮被写体領域とに分割する領域分割手段と、
前記仮背景領域から前記仮被写体領域側の縁部を除外して、前記仮背景領域を縮小する仮背景領域縮小手段と、
前記仮被写体領域から前記仮背景領域側の縁部を除外して、前記仮被写体領域を縮小する仮被写体領域縮小手段と、
前記縮小された仮背景領域に基づいて、前記入力画像の背景の色領域を決定する背景色領域決定手段と、
前記縮小された仮被写体領域に基づいて、前記入力画像の被写体の色領域を決定する被写体色領域決定手段と、
クロマキー処理のキー信号の生成に用いるクロマキーパラメータとして、前記背景の色領域に対して背景用キー信号を生成し、前記被写体の色領域に対して被写体用キー信号を生成し、前記背景と前記被写体との中間の色領域に対して前記背景用キー信号と前記被写体用キー信号との間を補間する補間キー信号を生成するように、前記クロマキーパラメータを算出するパラメータ算出手段と、
を備えたことを特徴とするクロマキー処理装置。
【請求項２】
前記領域分割手段は、前記背景色に対して色相と彩度が所定の色近さ度合いの範囲内にある色を有する画像部分を前記仮背景領域として決定し、前記仮背景領域に第１色を割り当てるとともに前記仮被写体領域に第２色を割り当てて、前記入力画像を前記第１色と第２色から構成される二値画像に変換する二値化処理を行うことを特徴とする請求項１に記載のクロマキー処理装置。
【請求項３】
前記仮背景領域縮小手段は、前記仮背景領域の所定画素を中心にして所定画素数の範囲内に前記仮被写体領域の画素が含まれるときに、前記仮背景領域の所定画素を前記仮背景領域から除外し、
前記仮被写体領域縮小手段は、前記仮被写体領域の所定画素を中心にして所定画素数の範囲内に前記仮背景領域の画素が含まれるときに、前記仮被写体領域の所定画素を前記仮被写体領域から除外することを特徴とする請求項１または請求項２に記載のクロマキー処理装置。
【請求項４】
前記パラメータ算出手段は、前記背景用キー信号として１００％キー信号を生成し、前記被写体用キー信号として０％キー信号を生成し、前記補間キー信号としてｎ％キー信号（０＜ｎ＜１００）を生成するように、前記クロマキーパラメータを算出することを特徴とする請求項１ないし請求項３のいずれかに記載のクロマキー処理装置。
【請求項５】
クロマキー処理のキー信号生成用の入力画像を、入力画像の背景色を基準にして決定される仮背景領域と、前記仮背景領域以外の領域である仮被写体領域とに分割し、
前記仮背景領域から前記仮被写体領域側の縁部を除外して、前記仮背景領域を縮小し、
前記仮被写体領域から前記仮背景領域側の縁部を除外して、前記仮被写体領域を縮小し、
前記縮小された仮背景領域に基づいて、前記入力画像の背景の色領域を決定し、
前記縮小された仮被写体領域に基づいて、前記入力画像の被写体の色領域を決定し、
クロマキー処理のキー信号の生成に用いるクロマキーパラメータとして、前記背景の色領域に対して背景用キー信号を生成し、前記被写体の色領域に対して被写体用キー信号を生成し、前記背景と前記被写体との中間の色領域に対して前記背景用キー信号と前記被写体用キー信号との間を補間する補間キー信号を生成するように、前記クロマキーパラメータを算出するクロマキーパラメータ算出方法。
【発明の詳細な説明】
【技術分野】
【０００１】
本発明は、クロマキー処理のキー信号を生成するためのクロマキーパラメータを自動調整する機能を備えたクロマキー処理装置に関するものである。
【背景技術】
【０００２】
従来、画像合成の手法の一つとして、入力画像の特定の色（例えば青色）の部分を他の画像と置き換えるクロマキー処理の技術が知られている。このクロマキー処理の技術は、テレビ番組や映画などを製作する際に利用されている。例えば、ブルースクリーンを背景にして人物を撮影した画像（合成用入力画像）から背景の部分が抜き出され、他の背景画像（合成用背景画像）と置き換えられる。このとき、合成用入力画像から背景の部分を抜き出すためにキー信号が用いられるが、このキー信号を生成するためには、背景色の選択や色範囲などの設定（クロマキーパラメータの設定）を事前に行う必要がある。
【０００３】
このクロマキーパラメータの設定を行うときには、まず事前のテスト用の画像としてブルースクリーンを背景にして人物を撮影した画像（テスト用入力画像）を撮影し、そのテスト用画像を用いて背景色の選択や色範囲などの設定をユーザ自身が手動で調整していた。従来、このようなクロマキーパラメータの調整を補助する機能を備えたクロマキー処理装置が知られている（例えば特許文献１参照）。この従来のクロマキー処理装置では、キー信号を発生させるための背景色の選択と色範囲の微調整を、ユーザ（操作者）が眼で見ながら直感的に行うことができる。
【特許文献１】特開２００１−２９８７５１号公報
【発明の開示】
【発明が解決しようとする課題】
【０００４】
しかしながら、従来のクロマキー処理装置においては、選択エリアを指定しつつ背景の抜け具合を画面で確認して微調整を行うため、微調整を行うためにはある程度の経験が必要であった。特に、背景と人物（被写体）とのエッジ付近（境界付近）では、非常に細かい調整（複雑な設定）を行う必要があり、経験の少ない初心者にとっては適切なクロマキーパラメータの設定を容易に行うことができなかった。
【０００５】
本発明は、上記従来の問題を解決するためになされたもので、適切なクロマキーパラメータの設定を容易に行うことのできるクロマキー処理装置を提供することを目的とする。
【課題を解決するための手段】
【０００６】
本発明のクロマキー処理装置は、クロマキー処理のキー信号生成用の入力画像を、入力画像の背景色を基準にして決定される仮背景領域と、前記仮背景領域以外の領域である仮被写体領域とに分割する領域分割手段と、前記仮背景領域から前記仮被写体領域側の縁部を除外して、前記仮背景領域を縮小する仮背景領域縮小手段と、前記仮被写体領域から前記仮背景領域側の縁部を除外して、前記仮被写体領域を縮小する仮被写体領域縮小手段と、前記縮小された仮背景領域に基づいて、前記入力画像の背景の色領域を決定する背景色領域決定手段と、前記縮小された仮被写体領域に基づいて、前記入力画像の被写体の色領域を決定する被写体色領域決定手段と、クロマキー処理のキー信号の生成に用いるクロマキーパラメータとして、前記背景の色領域に対して背景用キー信号を生成し、前記被写体の色領域に対して被写体用キー信号を生成し、前記背景と前記被写体との中間の色領域に対して前記背景用キー信号と前記被写体用キー信号との間を補間する補間キー信号を生成するように、前記クロマキーパラメータを算出するパラメータ算出手段と、を備えた構成を有している。
【０００７】
この構成により、入力画像の背景色が与えられると、クロマキー処理の生成に用いるクロマキーパラメータが自動的に算出される。この場合、背景と被写体の境界（仮被写体領域側の縁部）が除外された背景部分（縮小された仮背景領域）に基づいて背景の色領域が決定され、適切な背景用キー信号が生成される。また、背景と被写体の境界（仮背景領域側の縁部）が除外された被写体部分（縮小された仮被写体領域）に基づいて被写体の色領域が決定され、適切な被写体用キー信号が生成される。そして、背景と被写体との中間の色領域に対しては、これらの背景用キー信号と被写体用キー信号を用いて適切な補間キー信号が生成される。すなわち、背景と被写体との境界付近においても、適切なキー信号が生成されるようなクロマキーパラメータの設定を容易に行うことができる。
【０００８】
また、本発明のクロマキー処理装置では、前記領域分割手段は、前記背景色に対して色相と彩度が所定の色近さ度合いの範囲内にある色を有する画像部分を前記仮背景領域として決定し、前記仮背景領域に第１色を割り当てるとともに前記仮被写体領域に第２色を割り当てて、前記入力画像を前記第１色と第２色から構成される二値画像に変換する二値化処理を行う構成を有している。
【０００９】
この構成により、入力画像の背景色が与えられると、その背景色に類似する色（色相と彩度が所定の色近さ度合いの範囲内にある色）の部分を仮背景領域として決定され、入力画像が第１色（例えば黒）と第２色（例えば白）の二値画像に変換される。このようにして、入力画像をおおまかに二つの領域（仮背景領域と仮被写体領域）に分割することができる。なお、後段の処理で、仮背景領域と仮被写体領域の縮小（背景と被写体の境界の除外）が行われるので、この二値化処理では、それほど高い精度の領域分割（区分け）は要求されない。
【００１０】
また、本発明のクロマキー処理装置では、前記仮背景領域縮小手段は、前記仮背景領域の所定画素を中心にして所定画素数の範囲内に前記仮被写体領域の画素が含まれるときに、前記仮背景領域の所定画素を前記仮背景領域から除外し、前記仮被写体領域縮小手段は、前記仮被写体領域の所定画素を中心にして所定画素数の範囲内に前記仮背景領域の画素が含まれるときに、前記仮被写体領域の所定画素を前記仮被写体領域から除外する構成を有している。
【００１１】
この構成により、所定画素数の範囲内に仮被写体領域の画素が含まれる画素が、仮背景領域から除外される。これにより、背景と被写体の境界画素を、背景部分から適切に除外することができる。また、所定画素数の範囲内に仮背景領域の画素が含まれる画素が、仮被写体領域から除外される。これにより、背景と被写体の境界画素を、被写体部分から適切に除外することができる。
【００１２】
また、本発明のクロマキー処理装置では、前記パラメータ算出手段は、前記背景用キー信号として１００％キー信号を生成し、前記被写体用キー信号として０％キー信号を生成し、前記補間キー信号としてｎ％キー信号（０＜ｎ＜１００）を生成するように、前記クロマキーパラメータを算出する構成を有している。
【００１３】
この構成により、算出されたクロマキーパラメータを用いると、背景用キー信号として１００％キー信号が生成され、被写体用キー信号として０％キー信号が生成され、補間キー信号としてｎ％キー信号（０＜ｎ＜１００）が生成される。このようにして生成された適切なキー信号を用いてクロマキー処理を行うと、背景と被写体の境界部分の画質（色なじみ）が良好になり、自然な合成画像を得ることができる。
【００１４】
本発明のクロマキーパラメータ算出方法は、クロマキー処理のキー信号生成用の入力画像を、入力画像の背景色を基準にして決定される仮背景領域と、前記仮背景領域以外の領域である仮被写体領域とに分割し、前記仮背景領域から前記仮被写体領域側の縁部を除外して、前記仮背景領域を縮小し、前記仮被写体領域から前記仮背景領域側の縁部を除外して、前記仮被写体領域を縮小し、前記縮小された仮背景領域に基づいて、前記入力画像の背景の色領域を決定し、前記縮小された仮被写体領域に基づいて、前記入力画像の被写体の色領域を決定し、クロマキー処理のキー信号の生成に用いるクロマキーパラメータとして、前記背景の色領域に対して背景用キー信号を生成し、前記被写体の色領域に対して被写体用キー信号を生成し、前記背景と前記被写体との中間の色領域に対して前記背景用キー信号と前記被写体用キー信号との間を補間する補間キー信号を生成するように、前記クロマキーパラメータを算出する。
【００１５】
この方法によれば、入力画像の背景色が与えられると、クロマキー処理の生成に用いるクロマキーパラメータが自動的に算出される。この場合、背景と被写体の境界（仮被写体領域側の縁部）が除外された背景部分（縮小された仮背景領域）に基づいて背景の色領域が決定され、適切な背景用キー信号が生成される。また、背景と被写体の境界（仮背景領域側の縁部）が除外された被写体部分（縮小された仮被写体領域）に基づいて被写体の色領域が決定され、適切な被写体用キー信号が生成される。そして、背景と被写体との中間の色領域に対しては、これらの背景用キー信号と被写体用キー信号を用いて適切な補間キー信号が生成される。すなわち、背景と被写体との境界付近においても、適切なキー信号が生成されるようなクロマキーパラメータの設定を容易に行うことができる。
【発明の効果】
【００１６】
本発明は、入力画像から分割した仮背景領域と仮被写体領域をそれぞれ縮小する手段と、縮小された仮背景領域と仮被写体領域に基づいて背景の色領域と被写体の色領域をそれぞれ決定する手段を設けることにより、適切なクロマキーパラメータの設定を容易に行うことができるという効果を有するクロマキー処理装置を提供することができるものである。
【発明を実施するための最良の形態】
【００１７】
以下、本発明の実施の形態のクロマキー処理装置について、図面を用いて説明する。本実施の形態では、テレビ番組や映画の製作等に用いられるクロマキー処理装置の場合を例示する。
【００１８】
まず、本実施の形態のクロマキー装置の構成を、図面を用いて説明する。図１は、クロマキー装置の構成を説明するためのブロック図である。図１に示すように、クロマキー装置は、テスト用入力画像を用いてクロマキーパラメータを求めるための構成として、仮指定部２、二値化部３、黒縮小部４、白縮小部５、背景マッピング部６、被写体マッピング部７、パラメータ算出部８を備えている。また、クロマキー処理装置１は、合成用の入力画像と背景画像から合成出力画像を得るための構成として、クロマキー処理部１０と画像合成部１１を備えている。
【００１９】
仮指定部２は、テスト用入力画像の背景部分（背景画像ともいう）をカーソルなどでユーザが指定したときに、その背景部分の色（背景色ともいう）をベクトルスコープ空間（色相と彩度の色空間）にマッピングする機能を備えている。ユーザがカーソルで指定する箇所は、入力画像の背景部分であればどの部分でもよい。この仮指定部２によって、背景画像から背景色（例えば青色）がサンプリングされる（図２参照）。
【００２０】
二値化部３は、サンプリングされた背景色に対して色相と彩度が所定の色近さ度合いの範囲内にある色を有する画像部分を仮背景領域として決定し、その仮背景領域の色を黒色に設定し、また、仮背景領域以外の領域を仮被写体領域として決定し、その仮被写体領域の色を白色に設定する機能を備えている。なお、色近さ度合いの範囲内とは、例えば、ベクトルスコープ空間上で背景色を中心にした所定サイズの四角形や円形などの範囲内である。この二値化部３により、入力画像が黒色と白色で構成された二値画像に変換される（図３参照）。この二値化部３によって、入力画像は、黒色の仮背景領域と白色の仮被写体領域に大まかに分割されるともいえる。
【００２１】
黒縮小部４は、仮背景領域から仮被写体領域側の縁部を除外して、黒色の仮背景領域を縮小する機能を備えている（図４参照）。例えば、この黒縮小部４は、仮背景領域に含まれるある画素を中心にして所定の画素範囲内（例えば５×５画素の範囲内）に白色の画素があるときには、その仮背景領域の画素の色を白色に変更して仮背景領域から除外する処理を行う。したがって、この処理は、白色の領域を拡大する処理であるともいえる。このような処理によって、黒色の仮背景領域から、背景と被写体の境界画素が取り除かれる。このように境界画素が除外された仮背景領域は、背景である確度が高い領域であるともいえる。
【００２２】
白縮小部５は、仮被写体領域から仮背景領域側の縁部を除外して、白色の仮被写体領域を縮小する機能を備えている。例えば、この白縮小部５は、仮被写体領域に含まれるある画素を中心にして所定の画素範囲内（例えば５×５画素の範囲内）に黒色の画素があるときには、その仮被写体領域の画素の色を黒色に設定して仮被写体領域から除外する処理を行う。したがって、この処理は、黒色の領域を拡大する処理であるともいえる。このような処理によって、白色の仮被写体領域から、背景と被写体の境界画素が取り除かれる。このように境界画素が除外された仮被写体領域は、被写体である確度が高い領域であるともいえる。
【００２３】
背景マッピング部６は、黒縮小処理された仮背景領域に含まれるすべての画素の色をベクトルスコープ空間にマッピングして、背景の色領域を決定する機能を備えている（図６参照）。また、被写体マッピング部７は、白縮小処理された仮被写体領域に含まれるすべての画素の色をベクトルスコープ空間にマッピングして、被写体の色領域を決定する機能を備えている（図７参照）。
【００２４】
パラメータ算出部８は、クロマキー処理のキー信号の生成に用いるクロマキーパラメータを算出する機能を備えている。クロマキーパラメータとは、キー信号を生成するための背景色の選択や色範囲などを表す設定値である。この場合、背景の色領域が１００％キー信号になり、被写体の色領域が０％キー信号になり、背景と被写体の中間の色領域がｎ％キー信号（０＜ｎ＜１００）になるように、クロマキーパラメータが算出される（図８参照）。１００％キー信号は背景用キー信号であり、０％キー信号は被写体用キー信号であり、ｎ％キー信号はこれらの間を補間する補間キー信号である。
【００２５】
図８には、補間キー信号の算出アルゴリズムの一例が示されている。この例では、背景の色領域の外接円を想定し、その外接円より内部の色範囲は１００％キー信号とする。また、その外接円の同心円として、被写体の色領域に接する同心円を想定し、その同心円の外部の色範囲は０％キー信号とする。そして、その間の色範囲（外接円の外部から同心円の内部）の色範囲は、同心円上の点Ａ（０％）から外接円上の点Ｂ（１００％）まで傾斜を持たせたリニアキー信号（ｎ％キー信号）とする。なお、補間キー信号の算出アルゴリズムがこれに限定されないことは言うまでもない。
【００２６】
図１に示すように、クロマキー処理装置１は、メモリやＨＤＤなどで構成されたパラメータ記憶部９を備えている。このパラメータ記憶部９には、上記のようにして算出されたクロマキーパラメータが記憶される。
【００２７】
クロマキー処理部１０は、パラメータ記憶部９に記憶されたクロマキーパラメータを用いてキー信号を生成し、合成用入力画像に対してクロマキー処理を施す機能を備えている。このクロマキー処理によって、合成用入力画像から背景の部分が抜き出される（被写体の部分が残される）。
【００２８】
画像合成部１１は、背景の部分が抜き出された（被写体の部分が残された）合成用入力画像と合成用背景画像を画像処理で組み合わせて、合成出力画像を生成する機能を備えている。この処理によって、合成用入力画像の背景の部分が合成用背景画像に置き換えられる。
【００２９】
以上のように構成されたクロマキー処理装置１について、図面を用いてその動作を説明する。ここでは、本発明の特徴であるクロマキーパラメータの設定動作を中心に説明する。
【００３０】
本実施の形態のクロマキー処理装置１を用いてクロマキーパラメータの設定を行うときには、まず、図２に示すように、テスト用入力画像の背景部分をカーソルで指定して、その背景部分の色（背景色）をベクトルスコープ空間にマッピングする。そうすると、図３に示すように、二値化部３によって、その背景色に近い色（色近さ度合いの範囲内にある色）を持つ画像部分が黒色の仮背景領域に設定され、それ以外の画像部分が白色の仮被写体領域に設定される。このようにして、黒色の仮背景領域と白色の仮被写体領域に大まかに分割された二値画像が得られる。
【００３１】
つぎに、図４に示すように、黒縮小部４によって、背景と被写体の境界画素を白色に変更して（白色の領域を拡大して）、黒色の仮背景領域が縮小される。また、図５に示すように、白縮小部５によって、背景と被写体の境界画素を黒色に変更して（黒色の領域を拡大して）、白色の仮被写体領域が縮小される。
【００３２】
つづいて、図６に示すように、背景マッピング部６によって、縮小された仮背景領域（背景である確度が高い領域）のすべての画素がベクトルスコープ空間にマッピングされて、背景の色領域が決定される。図６の例では、ベクトルスコープ空間の右上の領域に、背景の色領域が設定されている。
【００３３】
また、図７に示すように、被写体マッピング部７によって、縮小された仮被写体領域（被写体である確度が高い領域）のすべての画素がベクトルスコープ空間にマッピングされて、被写体の色領域が決定される。図７の例では、ベクトルスコープ空間の左下の領域に、被写体の色領域が設定されている。
【００３４】
そして、図８に示すように、パラメータ算出部８によって、背景の色領域が１００％キー信号になり、被写体の色領域が０％キー信号になり、背景と被写体の中間の色領域がｎ％キー信号（０＜ｎ＜１００）になるように、クロマキーパラメータが算出される。算出されたクロマキーパラメータは、パラメータ記憶部９に記憶される。このようにして、クロマキーパラメータの設定が自動的に行われる。
【００３５】
このような本発明の実施の形態のクロマキー処理装置１によれば、入力画像から分割した仮背景領域と仮被写体領域をそれぞれ縮小する黒縮小部４および白縮小部５と、縮小された仮背景領域と仮被写体領域に基づいて背景の色領域と被写体の色領域をそれぞれ決定するマッピング部を設けることにより、適切なクロマキーパラメータの設定を容易に行うことができる。
【００３６】
すなわち、本実施の形態では、入力画像の背景色が与えられると、クロマキー処理の生成に用いるクロマキーパラメータが自動的に算出される。この場合、背景と被写体の境界（仮被写体領域側の縁部）が除外された背景部分（縮小された仮背景領域）に基づいて背景の色領域が決定され、適切な背景用キー信号が生成される。また、背景と被写体の境界（仮背景領域側の縁部）が除外された被写体部分（縮小された仮被写体領域）に基づいて被写体の色領域が決定され、適切な被写体用キー信号が生成される。そして、背景と被写体との中間の色領域に対しては、これらの背景用キー信号と被写体用キー信号を用いて適切な補間キー信号が生成される。すなわち、背景と被写体との境界付近においても、適切なキー信号が生成されるようなクロマキーパラメータの設定を容易に行うことができる。
【００３７】
具体的には、入力画像の背景色が与えられると、その背景色に類似する色（色相と彩度が所定の色近さ度合いの範囲内にある色）の部分を仮背景領域として決定され、入力画像が第１色（例えば黒）と第２色（例えば白）の二値画像に変換される。このようにして、入力画像をおおまかに二つの領域（仮背景領域と仮被写体領域）に分割することができる。なお、後段の処理で、仮背景領域と仮被写体領域の縮小（背景と被写体の境界の除外）が行われるので、この二値化処理では、それほど高い精度の領域分割（区分け）は要求されない。
【００３８】
また、本実施の形態では、所定画素数の範囲内に仮被写体領域の画素が含まれる画素が、仮背景領域から除外される。これにより、背景と被写体の境界画素を、背景部分から適切に除外することができる。また、所定画素数の範囲内に仮背景領域の画素が含まれる画素が、仮被写体領域から除外される。これにより、背景と被写体の境界画素を、被写体部分から自動的にかつ適切に除外することができる。
【００３９】
また、本実施の形態では、算出されたクロマキーパラメータを用いると、背景用キー信号として１００％キー信号が生成され、被写体用キー信号として０％キー信号が生成され、補間キー信号としてｎ％キー信号（０＜ｎ＜１００）が生成される。このようにして生成された適切なキー信号を用いてクロマキー処理を行うと、背景と被写体の境界部分の画質（色なじみ）が良好になり、自然な合成画像を得ることができる。
【００４０】
以上、本発明の実施の形態を例示により説明したが、本発明の範囲はこれらに限定されるものではなく、請求項に記載された範囲内において目的に応じて変更・変形することが可能である。
【００４１】
以上の説明では、テスト用の入力画像を用いて事前にクロマキーパラメータの設定をしておき、その後、合成用の入力画像と背景画像にクロマキー処理を施して出力画像を合成する例について説明したが、本発明の範囲はこれに限定されるものではない。本発明では、クロマキーパラメータの設定を自動的に行うことができるので、クロマキーパラメータの設定を毎フレーム行うことも可能である。
【００４２】
また、背景色を選択する方法としては、カーソルによるサンプリングだけに限定されず、例えば画面全体のヒストグラムを取り、最も出現頻度が高い色を背景色とみなす方法も実現可能である。この場合は、背景部分が占める面積の割合が比較的大きい必要があるが、カーソルの位置を調整するという手順を省略することができる。
【００４３】
従来のクロマキー処理装置では、背景と人物のエッジ付近のクロマキーパラメータ設定を、オンエア前のリハーサル時に予め人手で細かく調整しているため、オンエアの際にも、リハーサルと同じ照明環境を整える必要があり、また、被写体の人物（アナウンサー等）が服装や髪型を変えることは許されなかった。これに対して、本発明のクロマキー処理装置１では、事前のリハーサルでクロマキーパラメータの設定をしておく必要がなく、オンエア中に自動的にクロマキーパラメータの設定をすることができるので、装置の操作者および出演者の双方にとって利便性が高い。
【００４４】
また、以上の説明では、入力画像を仮背景領域と仮被写体領域に分割するために二値化処理を行う例について説明したが、本発明の範囲はこれに限定されるものではなく、入力画像を仮背景領域と仮被写体領域に大まかに分割することができるものであれば、如何なる処理を行ってもよい。
【産業上の利用可能性】
【００４５】
以上のように、本発明にかかるクロマキー処理装置は、適切なクロマキーパラメータの設定を容易に行うことができるという効果を有し、テレビ番組や映画の製作等に用いられ、有用である。
【図面の簡単な説明】
【００４６】
【図１】本実施の形態のクロマキー処理装置のブロック図
【図２】テスト用入力画像からのサンプリング処理の説明図
【図３】二値画像の生成（二値化処理）の説明図
【図４】黒縮小処理（白拡大処理）の説明図
【図５】白縮小処理（黒拡大処理）の説明図
【図６】縮小された黒の部分（背景の部分）のマッピング処理の説明図
【図７】縮小された白の部分（被写体の部分）のマッピング処理の説明図
【図８】算出されたクロマキーパラメータを用いて生成されるキー信号の説明図
【符号の説明】
【００４７】
１  クロマキー処理装置
２  仮指定部
３  二値化部
４  黒縮小部
５  白縮小部
６  背景マッピング部
７  被写体マッピング部
８  パラメータ算出部
９  パラメータ記憶部
１０  クロマキー処理部
１１  画像合成部
【図１】
2010056991.tif 000003
【図２】
2010056991.tif 000004
【図３】
2010056991.tif 000005
【図４】
2010056991.tif 000006
【図５】
2010056991.tif 000007
【図６】
2010056991.tif 000008
【図７】
2010056991.tif 000009
【図８】
2010056991.tif 000010